(57)【要約】【課題】  専門家による助けなしで、自己識別に適し、鮮明な映像すなわちイメージを得ることが可能な、身体の表像的特徴を測定する方法を提供すること。【解決手段】  個人の身体の表像的特徴の実際及び／または所望の度合いを、測定することができる方法において、その方法は、ａ）前記特徴を表したイメージ（２１、２２）のシーケンスを、段々に変化する度合いに対して、生成させるステップ、ｂ）前記特徴の実際及び／または所望の度合いに対応して、一連のイメージまたは、少なくとも一つのイメージをシーケンスの範囲内で識別するステップ、を含むことを特徴とする方法。【選択図】図１
2006048729.tif 000002
【特許請求の範囲】
【請求項１】
個人の身体の表像的特徴の実際及び／または所望の度合いを、測定することができる方法において、
ａ）前記特徴を表したイメージ（２１、２２、２３）のシーケンスを、段々に変化する度合いに関して、生成させるステップ、及び
ｂ）前記特徴の実際及び／または所望の度合いに対応する一連のイメージまたは、少なくとも一つのイメージをシーケンスの範囲内で識別するステップ、
を含むことを特徴とする方法。
【請求項２】
シーケンスの複数のイメージが、連続または実質的に連続して進行する、身体における表像的特徴の異なった度合いに対応することを特徴とする請求項１に記載の方法。
【請求項３】
イメージ（２１、２２、２３）のシーケンスが、パーソナルコンピューター（２）において生成されることを特徴とする請求項１に記載の方法。
【請求項４】
イメージ（２１、２２、２３）のシーケンスが、サーバー（１）によって生成されることを特徴とする請求項１〜３のいずれか一項に記載の方法。
【請求項５】
イメージ（２１、２２、２３）のシーケンスが、アドバイス提供装置（５０）特に販売店にあるアドバイス提供装置（５０）によって、生成されることを特徴とする請求項１に記載の方法。
【請求項６】
イメージのシーケンスのイメージ（２１、２２、２３）が、動画化シーケンスであることを特徴とする請求項１〜５のいずれか一項に記載の方法。
【請求項７】
イメージのシーケンスのイメージ（２１、２２、２３）が、観察者の動作をファンクションとして、特にスクロールバー（２５；２５´）のカーソル（２４；２４´）の上に映し出されることを特徴とする請求項1〜５のいずれか一項に記載の方法。
【請求項８】
イメージのシーケンスのイメージ（２１、２２、２３）が、スクリーン（３）上に映し出され、且つ人にイメージ（２３）を選択させることができること、選択されたイメージを示す情報を生成させることを特徴とする請求項１〜７のいずれか一項に記載の方法。
【請求項９】
選択イメージを示す情報が、数字（２６；２６´）から成ることを特徴とする請求項８に記載の方法。
【請求項１０】
選択イメージ（２３）を示す情報が、遠く離れた位置で収集されることを特徴とする請求項８または９に記載の方法。
【請求項１１】
第一の地理的位置でイメージのシーケンスのイメージ（２１、２２、２３）を映し出し、そして一つ以上の通信プロトコル、特にインターネットプロトコル（ＩＰ）によって、シーケンスのイメージ（２１、２２、２３）の中から選ばれたものを示す情報を第二の地理的位置へ送り、そこで情報を、特に診断を行う目的で、またはデータバンクをビルドアップため、収集及び／または処理するステップを含むことをことを特徴とする請求項１０に記載の方法。
【請求項１２】
コンピューターシステム（８０）に自動的に識別させることができる方法で、イメージのシーケンスが生成されること、及びイメージのシーケンスのイメージ（２３）と、評価される人のイメージ（Ｉ）とを比較するプロセスが、前記人の身体に関する表像的特徴の実際の度合いを測定するために使用されることを特徴とする請求項１に記載の方法。
【請求項１３】
イメージのシーケンスが、電算、好ましくは身体の表像的特徴の度合いが個々に異なる、少なくとも一つの最初のイメージ（２１）と、少なくとも一つの最後のイメージ（２２）とを基にした、モーヒングソフトウェア（２０）によって生成されることを特徴とする請求項１〜１２のいずれか一項に記載の方法。
【請求項１４】
イメージのシーケンスが、評価される人に関する情報をファンクションとして、生成されることを特徴とする請求項１〜１３のいずれか一項に記載の方法。
【請求項１５】
最初のイメージと最後のイメージが、評価される人に関する情報をファンクションとして、少なくとも一つのイメージバンク（２７、２８）から選択されることを特徴とする請求項１３に記載の方法。
【請求項１６】
イメージのシーケンスが、端と端とを接続した複数のサブシーケンスから成り、各サブシーケンスが、最初のイメージと最後のイメージから生成され、次数ｎのサブシーケンスの最初のイメージが、好ましくは次数n-1のサブシーケンスの最後のイメージに対応することを特徴とする請求項１〜１５のいずれか一項に記載の方法。
【請求項１７】
映し出されたイメージにより表現される身体における二つの表像的特徴を、二つのスクロールバー（２５；２５´）の二つのカーソル（２４；２４´）を観察者が動かすことによって、変化させることができるステップを含むことを特徴とする請求項１〜１６のいずれか一項に記載の方法。
【請求項１８】
シーケンスにおけるイメージの数が、十個以上で、好ましくは二十個以上、更に好ましくは五十個以上であることを特徴とする請求項１〜１７のいずれか一項に記載の方法。
【請求項１９】
個人の身体における少なくとも一つの表像的特徴を変化させる化粧トリートメント方法において、
その方法が以下のステップ、すなわち、
ａ）ステップ的に変わる度合いに関して、身体の表像的特徴を表わすイメージのシーケンスを生成させるステップ、
ｂ）イメージのシーケンスの範囲内で、個人の身体における表像的特徴の実際の度合いに対応するイメージまたは一連のイメージを識別するステップ、
ｃ）身体における表像的特徴の実際の度合いを変化させるため、化粧トリートメントを薦めるステップ、
を含むことを特徴とする方法。
【請求項２０】
シーケンスの範囲内で、イメージまたは一連のイメージを、化粧トリートメントの後に、所望の身体に関する表像的特徴の度合いに対応して身体の表像的特徴を識別し、その実際の度合いから所望の度合いに変えるために、ステップｃ）で薦められたトリートメントを選択することを特徴とする請求項１９に記載の方法。
【請求項２１】
評価の結果が、特にインターネットによって、遠く離れた位置で収集されることを特徴とする請求項１９または２０に記載の方法。
【請求項２２】
推薦状が、推薦製品の注文用紙を送付する際に、好ましくはインターネットによって、添付されることを特徴とする請求項１９または２１に記載の方法。
【請求項２３】
推薦状が、推薦のトリートメント製品を送付する際に添付されることを特徴とする請求項１９〜２２のいずれか一項に記載の方法。
【請求項２４】
推薦製品によるトリートメントの所定の持続時間後、身体に関する表像的特徴の新しい評価の結果を収集することを特徴とする請求項１９〜２３に記載の方法。
【請求項２５】
推薦状が、新しい評価の結果をファンクションとして継続または変更されることを特徴とする請求項２４に記載の方法。
【請求項２６】
少なくとも一個人に、化粧トリートメントの効果を識別する方法において、
ａ）トリートメントが行われると仮定する、身体の表像的特徴を表わすイメージのシーケンスを生成するステップを含み、そこではシーケンスの様々なイメージが身体の前記表像的特徴の様々なイメージに対応し、
ｂ）その方法で生成されたイメージのシーケンスの範囲内で、トリートメントの前に前記特徴を評価するため、個人に関する前記特徴の度合いに対応したイメージ及び一連のイメージを識別するステップを含み、
ｃ）トリートメントを行うステップを含み、
ｄ）トリートメントの後、前記特徴を評価するため、ステップａ）及びｂ）を繰り返すステップを含み、そして、
ｅ）前のトリートメントの評価と後のトリートメントの評価を比較するステップを含む、ことを特徴とする方法。
【請求項２７】
各評価の結果を、遠く離れた位置で収集することを特徴とする請求項２６のいずれか一項に記載の方法。
【請求項２８】
化粧品またはスキンケア製品の潜在的ユーザーの名簿を生成する方法において、
その方法が以下のステップ、すなわち、
ａ）進行的に変わる身体の表像的特徴を示したイメージのシーケンスを生成させるステップ、
ｂ）グループの各個人に関して、個人による身体の表像的特徴の実際の度合い、または個人による所望の度合いを示すイメージまたは一連のイメージを、シーケンスの範囲内で識別するステップ、
ｃ）そのグループの個人の中から、少なくとも一つの予定基準を満たす識別されたイメージまたは一連のイメージを選択するステップを含む、
ことを特徴とする方法。
【請求項２９】
化粧品を処方する際に助言を与える方法において、
その方法が以下のステップ、すなわち、
ａ）トリートメントが行われると仮定する身体の表像的特徴を表わすイメージのシーケンスを生成するステップを含み、そこではシーケンスの様々なイメージが身体の前記表像的特徴の様々なイメージに対応し、
ｂ）少なくとも一個人の身体における表像的特徴の実際の度合いを示した、イメージ及び一連のイメージを、シーケンスの範囲内で識別するステップを含み、そして、
ｃ）個人に関して且つ／または個人により識別されたイメージまたは一連のイメージを関数として、化粧品を処方するステップを含む、
ことを特徴とする方法。
【請求項３０】
ステップｂ）の結果を、遠く離れた位置で収集することを特徴とする請求項２９に記載の方法。
【請求項３１】
上記ステップｃ）が、以下のサブステップ、すなわち
i)応答した個人の中で、少なくとも一つの予定基準に対応する識別されたイメージまたは一連のイメージを選択することによって、名簿を生成するサブステップ、
ii)化粧品を製造するサブステップ、
iii)化粧品を名簿の個人に適用するまたは与えるサブステップ、
iv)一回以上化粧品を付けるまたは塗布した後、新たな評価を実施するため、サブステップａ）とｂ）を繰り返すサブステップ、
v)新しい評価の結果と以前の評価の結果とを比較し、化粧品の効果を測定するサブステップ、
vi)化粧品の効果が、不充分であると認められると、化粧品の処方及び／またはその適用量を変更し、充分であると判断される効果に達するまで、サブステップiii)、iv)及びv)を繰り返すサブステップ、
に分けられることを特徴とする請求項２９または３０に記載の方法。
【請求項３２】
特に化粧またはスキンケアトリートメントに関して、診断を行う方法において、
その方法が以下のステップ、すなわち、
ａ）身体の表像的特徴を、段々に変わる度合いに関して表わすイメージのシーケンスを生成するステップ、
ｂ）イメージのシーケンスの範囲内で、個人の身体における表像的特徴の実際の度合いに対応した、イメージまたは一連のイメージを識別するステップ、
ｃ）識別されたイメージまたは一連のイメージをファンクションとして、診断を行うステップ、
を含むことを特徴とする方法。
【請求項３３】
ステップｂ）の結果を遠く離れた位置で収集することを特徴とする請求項３２に記載の方法。
【請求項３４】
診断の結果が、コンピューターサーバーに接続されたコンピューターのスクリーン上に映し出されることを特徴とする請求項３３に記載の方法。
【請求項３５】
身体における少なくとも一つの表像的特徴の異なる等級を示す図表を作る方法において、
ａ）身体の表像的特徴の異なった各度合いに対応する、少なくとも一つの最初のイメージ及び、好ましい少なくとも一つの最後のイメージを選択するステップ
ｂ）前記最初のイメージと最後のイメージとの間にある中間イメージを、特にモーヒングソフトウェアによって生成させるステップ、
ｃ）シーケンスのイメージから、少なくとも一つのイメージを選択するステップ、
ｄ）その方法で選択された少なくとも一つのイメージを含む図表を作成するステップ、
を含むことを特徴とする方法。
【請求項３６】
個人に対応する各ベクトルのセットを互いにグループにした、マルチベクトルデータバンクを生成させる方法において、
各ベクトルが（Ｖ１、....、Ｖ２）が、請求項１の方法によって識別されたイメージのシーケンスによるイメージまたは、一連のイメージを示す情報によって構成された、少なくとも一つの構成要素（Ｘ１ｑ、Ｘ２ｑ、Ｘ３ｑ）から成り、好ましくは各ベクトルが、身体の異なる表像的特徴を表わす二つのシーケンスから選択された、イメージまたは一連のイメージを示す情報によって構成された、少なくとも二つの構成要素から成ることを特徴とする方法。
【請求項３７】
いかなる治療にも使用されることなく、以下の身体における表像的特徴、すなわち
しわの数及び深さ、特に首の肌のたるみ、及び特に首のひだの深さ、肌の日だ、目の回りの環の深さ、セリュライトの量、まぶたのたれのように、年齢に関連する特徴、
肌のはがれの数及び大きさ、皮脂分泌液の量、発汗分泌液の量、肌または唇の乾き、まつげまたは髪の長さ、曲がりまたは密度、血液による肌の灌注（irrigation）、色素の不足、ニキビの密度、ざそうの斑点、できもの、ホクロ、唇の外形のような、生態学的または形態学的な特徴、
肌または髪の色の特徴、
の一つを、利用することを特徴とする請求項１〜３６のいずれか一項に記載の方法の使用法。
【請求項３８】
請求項１〜１８のいずれか一項に定義された方法を実行するため、身体の表像的特徴の度合いを測定する装置（１；２；５０）において、
装置が、身体の表像的特徴の様々な等級を表わすイメージ（２１、２２、２３）のシーケンスを生成させる、プログラムユニットを備えることを特徴とする装置。
【請求項３９】
前記特徴が、前記シーケンスの範囲内で連続的に、または実質的に連続して変わることを特徴とする請求項３８に記載の装置。
【請求項４０】
マウス（１０）上のボタンまたは、タッチセンサースクリーン（５１）上に映し出された作動ボタン、或いはキーボード（７）のような制御手段、または目による制御手段、或いは音声による制御手段を具備し、シーケンスのイメージを選択することができることを特徴とする請求項３８または３９に記載の装置。
【請求項４１】
キーボード（７）またはタッチセンサースクリーン（５１）上に映し出された作動ボタンのようなデータ入力手段を具備して、少なくとも一つのイメージバンク（２７、２８）から最初と最後のイメージ（２１、２２）を選択し、データ入力手段を介してユーザーによって伝達された情報をファンクションとして、モーヒングソフトウェア（２０）により、シーケンスが前記イメージから生成されることを特徴とする請求項３８または４０に記載の装置。
【請求項４２】
スクロールバー（２５；２５´）及び、スクリーン（３；５０）上でシーケンスのイメージを順次動かすために、制御できるカーソル（２４；２４´）を発生させるジェネレーターを具備し、イメージのシーケンスの一つだけが、適時に映し出されることを特徴とする請求項３８〜４１のいずれか一項に記載の装置。
【請求項４３】
選択イメージを示す情報を、サーバーに送る手段を具備することを特徴とする請求項３８〜４２のいずれか一項に記載の装置。
【請求項４４】
選択イメージを示す情報を、サーバー（１）に送らせることができる手段を具備することを特徴とする請求項３８〜４３のいずれか一項に記載の装置。
【請求項４５】
人のイメージを得るスキャナーまたはカメラ、或いは識別するテスト装置のような手段と、前記イメージとシーケンスのイメージとを比較するコンピューターシステム（８０）を具備することを特徴とする請求項３８〜４４のいずれか一項に記載の装置。
【請求項４６】
二つのスクロールバー及び関連する二つのカーソルを成形するジェネレーターを具備し、各カーソルが映し出されたイメージによって表わされる、身体の表像的特徴をスクリーン上で変更できることを特徴とする請求項３８〜４５のいずれか一項に記載の装置。
【請求項４７】
身体における表像的特徴の特定の度合を選択できる手段を具備することを特徴とする請求項３８〜４６のいずれか一項に記載の装置。
【請求項４８】
スクリーン上に映し出されたイメージによって表わされる身体の表像的特徴の度合いを、好ましくは数字で示した、表示値（２６；２６´）を表示する適切なインジケータを具備することを特徴とする請求項３８〜４７のいずれか一項に記載の装置。
【発明の詳細な説明】
【技術分野】
【０００１】
本発明は、特に診断を行うことを目的として、身体の表像的（または類型学的）特徴の評価に関連するものである。
【背景技術】
【０００２】
インターネットでアクセス可能である特定のサイトは、インターネットのユーザーに、ユーザーによってもたらされる質問に対する返事を基に、化粧品及びケア製品を薦めている。
【０００３】
従って、特定のサイトは、サーバーの年齢及び、肌のタイプ、すなわち乾燥、普通、混合、または脂などに関する質問に対してもたらされる返事をファンクションとして、製品を薦めている。
【０００４】
別のサイトは、髪の色に関して尋ねており、カラーチャートを表示して選択する際にユーザーをアシストもしている。
【０００５】
また別のサイトは、ユーザーにしわがごく少ないか、少しあるか、たくさんあるか、状態を尋ねている。
【０００６】
表示されたカラーチャートを利用して、ある程度正確に評価することができる髪の色を除いて、いろいろなサイトで利用される質問は、普通はむしろ漠然としており、それにより幾つかの可能性のある答えの中から選ぶことは、ユーザーにとって難しい。
【０００７】
このことは、ユーザーの身体の表像的特徴を評価する際に、不正確である度合いを高くする。
【０００８】
用語“身体の表像的特徴”は、本出願において、機械的、形態学的または生理学的な特徴、及び肌色または髪の色のように色の特徴を意味している。
【０００９】
英国特許出願明細書GB 2 288 511は、遠隔診断を行えるようにしており、診断に関する箇所のイメージをリモートセンターへ送り、そこで専門家が診断を行うことができる。
【発明の開示】
【発明が解決しようとする課題】
【００１０】
その様な方法は、専門家による助けが必要で、自己識別には適しておらず、診断の質が、特にイメージの品質、すなわち映像をいかに良好に得るかということに依存しているので、それを実行するのは困難で且つ、あまり信頼性がない。
【００１１】
出願会社に関して、身体の表像的特徴、特に首のたるみ、肌の堅さ、まぶたのたれ、またはしわを正確に評価するため、人々は試験センターを訪れなければならず、そこで美容師のような専門家が、それらの人々を試験し、希望の評価を行っている。
【００１２】
その方法では、交通費、接見費用がかかり、そこで必要な人々への報酬が上がる。
【００１３】
更に、試験される人々は常に総体的な人口のなかで、ごく典型的な例というわけではない。それはその人々は、殆どが試験センターの近くに住む人々であり、それは目的の評価を妨げる地理的な障害となり得る。
【００１４】
髪の状態を評価するため、頭髪を切りとって、診断センターへ送り、そこで専門家がそれを試験することもできる。
【００１５】
その方法は、あまり実用的ではなく、診断が比較的長時間になり、郵送に時間を費やすことになる。
【００１６】
身体の表像的特徴を正確に評価し、且つその様な識別のコストを減らす必要がある。
【００１７】
また、専門家による助けなしで、もし所望であれば遠隔で、診断を迅速に行うことも必要である。
【００１８】
更に身体表像のデータバンクを、簡単且つ迅速に構築する必要もある。
【００１９】
最後に、次の化粧トリートメントを改良するサインを早めに示して、その人にトリートメントをやり通すことを奨励し、その際に適切に化粧品またはケア製品の効果の測定を目的とすることも必要である。
【００２０】
本発明の目的は、完全にまたは部分的に前記の必要な事項を満足させることである。
【課題を解決するための手段】
【００２１】
本発明は、個々の身体の表像的特徴の実際及び／または所望の度合いを、測定することができる新たな方法によって、上記のことを達成し、その方法が、
ａ）前記特徴を表したイメージのシーケンスを、段々に変化する度合いに関して、生成させるステップ、
ｂ）シーケンスの範囲内で、前記特徴の実際及び／または所望の度合いに対応する、一連のイメージまたは少なくとも一つのイメージを、識別するステップ、
を含むことを特徴とする。
【００２２】
本発明の意味では、用語“イメージ”は２Ｄまたは３Ｄで表示または投影される何らかのイメージ、または何らかの非表示イメージを表わしており、それらは、メモリーまたは、ハードディスクもしくはCD-ROMのようなデジタルデータ記憶媒体に蓄積された、デジタルデータに対応する。
【００２３】
本発明の意味では、“シーケンス”は観察する時に、同時に全てを観察したわけではない、一組のイメージを意味している。
【００２４】
特にイメージを観察する時、イメージはイメージごとに好ましく表示されたイメージである。
【００２５】
シーケンスのイメージは、身体の表像的特徴の相違度に関連し、前記相違度は好ましくは続けて、または実質的に続けて変化し、すなわちシーケンスにおける二つの連続イメージを観察する観察者が、それらイメージの間に重要な相違点が何も見ることができない。
【００２６】
各イメージは、メイクアップするまたはメイクアップしない、トリートメントするまたはトリートメントしない、身体の一部の描写及び、テスト装置の状態に対応することができ、テスト装置は、例えば登録商標D'SQUAMで知られている粘着テープである。
【００２７】
イメージのシーケンスの本質を成す身体の表像的特徴は、以下の中から選択できる。それは、
しわの数及び深さ、特に頚部の肌のたるみ、特に頚部のひだの数及び深さ、肌のしわ、目の周りの環の深さ、セリュライトの量、まぶたのたれのように、年齢に関連する特徴、
肌のはがれの数及び大きさ、皮脂分泌液の量、発汗分泌液の量、肌または唇の乾き、まつげまたは髪の長さ、曲がりまたは密度、血液による肌の灌注（irrigation）、色素の不足、ニキビの密度、ざそうの斑点、できもの、ホクロ、唇の外形のような、生態学的または形態学的な特徴、
肌または髪の色、
であるが、上記リストに限定しない。
【００２８】
本発明によると、特定の人を識別するため、身体の表像的特徴の度合いを正確に測定することが可能である。その際に、この特徴が段々に、好ましくは連続してまたは実質的に連続して、イメージのシーケンスの範囲内で一つのイメージから次のイメージへ変化する。
【００２９】
イメージのシーケンスは、サーバーによってパーソナルコンピューターにおいて、または販売を条件としたアドバイス装置において、簡単に生成させることができ、ゆえに例えば専門家の助けを必要としないで、人に自己評価させることができる。
【００３０】
また評価は、本発明の一概念において、画像を得る条件とは無関係であり、評価は評価される人の画像を得ないでも、行うことができる。
【００３１】
上記の様に、本発明による方法は、人々に自己評価させることができるように、そのために特別に訓練された人による助けなしで、有利に行える。
【００３２】
また方法は、人に身体の表像的特徴に関して所望の度合いを測定することもできる。前記度合いは使用に関して、例えばトリートメントの最後に達成するべき目標である。
【００３３】
また、その方法はトリートメントの間に効力を示すか、または製品の効果を測るために実行することもできる。
【００３４】
また本発明による方法は、相談することができる人の数を制限することなく、実用的に身体の表像的特徴を評価することができるようにもする。
【００３５】
本発明は特に、90人以上、例えばそれよりもかなり多い1,000人以上から成るグループから、簡単且つ素早くに大きなデータバンクを、セットアップすることが可能である。
【００３６】
評価は遠く離れた位置で、実際は評価される人々の家で行うことができる。
【００３７】
それによって、いかなる地理的な障害もなくなる。
【００３８】
評価を各人の家で実施することができるので、試験センターまで行きたくなかった人々を評価することができ、特に評価を目的にセンターに出勤する人々に支払う一種の報酬のため、高い購買力を持ちながら、ほんの少しも動機を得なかったであろう、人々を評価することが可能である。
【００３９】
本発明の概念によると、イメージのシーケンスのイメージがスクリーンに映し出され、それによって一つのイメージを選択させるために人に提供され、情報が示され、特に遠隔地で例えばインターネットを介して、選択イメージを提示する。
【００４０】
選択イメージを表わす情報は、数字から構成され、例えばその数字は、例えばスコアの形をしており、問題となる身体の表像的な最高の度合いに対応した複数のイメージの一つと選択イメージとの間の、イメージの数に比例する。
【００４１】
本発明による概念によると、その方法はゆえに地理的位置においてイメージのシーケンスのイメージを映し、その後に一つ以上の通信プロトコル、特にインターネットプロトコルにより、シーケンスのイメージの中から選択されたものを表わす情報を、第二の地理的位置へ送信し、そこで前記の情報が集められて、そして／または特に診断を行うことを目的に、またはデータバンクを構築するため、処理されるステップを含む。
【００４２】
イメージのシーケンスのイメージは、動画化したシーケンスを作るように表示することができ、それは特に操作が楽しいという利点を有している。
【００４３】
イメージのシーケンスのイメージは、例えばスクロールバーにおける少なくとも一つのカーソル上に、観察者によって実行される動作をファンクションとして、映すことができる。
【００４４】
特別な実施形態において、一つのイメージが適時に映し出され、二つのスクロールバーのカーソルを動かすことによって、イメージで表わされるような、身体の二つの表像的特徴を、観察者が変えることができる。問題となる二つの特徴は例えばしわの数及びしわの深さから構成される。
【００４５】
本発明による別の概念において、イメージのシーケンスが示されると、コンピューターシステムで自動的に評価を行うことができ、システムは例えば、一つ以上のニューラルネットワークを備え、評価される人のイメージと、イメージのシーケンスのイメージを比較するプロセスの際に、前記人の身体に対応する表像的特徴の実際の度合いが、測定される。
【００４６】
その様な状況で、イメージのシーケンスのイメージをスクリーンに映す必要はなく、例えばコンピューターメモリーゾーンにおけるデータを比較するだけで充分である。
【００４７】
イメージのシーケンスは好ましくは、例えばモーヒングソフトウェアを使用し、身体の表像的特徴の異なる度合い、好ましくは最高の度合いに各々対応した、少なくとも一つの最初のイメージと、少なくとも一つの最後のイメージを、計算することによって生成される。
【００４８】
モーヒングソフトウェアを使用すると、通常の最初のイメージとは別のシーケンスのイメージが、シーケンスの以前のイメージに依存し、その依存度は例えばイメージを計算する方法によるものである。
【００４９】
別のソフトウェアは、イメージのシーケンスを生成させるために使用され、特にグラフィックソフトウェアがイメージを修正するために使用される。
【００５０】
またイメージのシーケンスは、フィルムから生成させることもでき、そこではイメージが例えば、一つの映像から次の映像へ異なるメイクアップを行った、単一の対象人に関連しており、対象となる人が受取る製品は、身体の問題となる表像的特徴に、時間で変わる効果をもたらす。例えばその製品は、しわがある時に肌を引っ張るためのものである。
【００５１】
本発明の概念では、イメージのシーケンスを、評価される人、例えばしわの数、肌のタイプ、年齢、性別、目の色をについての情報をファンクションとして、生成される。
【００５２】
従って、イメージのシーケンスを生成させることによる、最初と最後のイメージを、評価される人の情報をファンクションとして、少なくとも一つのイメージバンクから選択することができる。
【００５３】
またイメージのシーケンスも、端と端を接続した複数のサブ−シーケンスから成っており、各サブ−シーケンスは、次数ｎのサブ−シーケンスの最初のイメージが、例えば次数n-1のサブ−シーケンスの最後のイメージに対応しており、最初のイメージと最後のイメージから生成させられる。
【００５４】
シーケンスの各イメージは、実時間で生成させることができるか、または他にシーケンスのイメージのイメージの全てを予め生成させることができ、且つシーケンスからの一連のイメージ、またはイメージを選択するステップの前に、蓄積する。
【００５５】
シーケンスにおけるイメージの数は、10かそれ以上であり、例えば好ましくは20かそれ以上で、更に好適には50かそれ以上である。イメージの数は、特に所望の精度をファンクションとして、選択される。
【００５６】
また本発明は、個々の身体の表像的特徴の少なくとも一つを変えるため、化粧またはスキンケアトリートメントの方法も提供する。その方法は、
ａ）身体の表像的特徴を表わすイメージのシーケンスを、ステップ的に変わる度合いに関して生成させるステップ、
ｂ）イメージのシーケンスの範囲内で、個人の身体における表像的特徴の実際の度合いに対応した、イメージまたは一連のイメージを識別するステップ、
ｃ）識別されたイメージまたは一連のイメージをファンクションとして、身体の表像的特徴の実際の度合いを変えるために、化粧品またはスキンケアトリートメントを薦めるステップ、
を含む。
【００５７】
ステップｂ）において、シーケンスの範囲内で、化粧またはスキンケア−トリートメントの後に所望する身体の表像的特徴の度合いに対応した、一連のイメージまたはイメージを識別し、ステップｃ）において薦められたトリートメントは、身体の表像的特徴を、実際の度合いから所望の度合いに変えるために選択される。
【００５８】
評価の結果は、遠く離れた位置で特にインターネットを介して集めることができる。
【００５９】
推薦状は、推薦製品の注文用紙を、好ましくはインターネットなどによって送る際に、添付することができる。
【００６０】
また推薦状は、お薦めのトリートメント製品を送る際にも添付することができる。
【００６１】
推薦製品を使用したトリートメントの所定期間の後、関連する身体の表像的特徴の新しい識別結果を集めることが可能である。
【００６２】
その様な状況で、新しい識別結果をファンクションとして、推薦書をそのままにするか、または変えることができる。
【００６３】
識別が正確に行われることを条件に、それが非常に小さいとしても、非常に早い何らかの効力を示すことが可能であり、それによって対象となる人に、トリートメントを続けるように奨励する。
【００６４】
効力がなければ、ゆえにトリートメント中の人にトリートメントを変えさせることも可能である。
【００６５】
推薦状は、新しい評価の結果をファンクションとして、継続または変更することができる。
【００６６】
また本発明は、少なくとも一つ個々に、化粧またはスキンケアトリートメントの効果を評価する方法を提供し、その方法は、
ａ）トリートメントが行われるであろう身体の表像的特徴を表わすシーケンスのイメージを生成するステップを含み、そこでは身体における異なる等級の前記表像的特徴が、シーケンスの種々のイメージに対応し、
ｂ）この方法で生成されたイメージのシーケンスの範囲内で、個人に関連した前記特徴の度合いに対応するイメージまたは一連のイメージを、トリートメントの前に前記特徴を評価するため、識別するステップを含み、
ｃ）トリートメントを行うステップを含み、
ｄ）ステップａ）とｂ）を繰り返して、トリ−トメント後に前記特徴を識別するステップを含み、
ｅ）トリートメント評価の前と後とを比較するステップ、
を含む。
【００６７】
各評価の結果は、特にインターネットを介して遠隔で集計できる。
【００６８】
または本発明は、化粧またはスキンケア製品に関する潜在的ユーザーの回答を発生させる方法も提供する。その方法は、
ａ）進行的に変わる身体の表像的特徴を映すイメージのシーケンスを生成させるステップ、
ｂ）グループにおいて各個別に、シーケンスの範囲内で、個々に身体の表像的特徴の実際の度合い、または個々に所望する度合いを表す、一連のイメージまたはイメージを識別するステップ、
ｃ）グループの個人の中で選択し、少なくとも一つの予定した標準を満たすその識別されたイメージまたは一連のイメージが、ステップ、
を含む。
【００６９】
ステップｂ）において得られる結果は、特にインターネットを介して、遠隔で集計でき、同じシーケンスのイメージをグーループにおいて全て個別に提出することが容易である。
【００７０】
回答が確定すると、名簿をまとめた人々が、製品を購入する申し込み、または例えば実際に製品のサンプルを送ることが可能になる。
【００７１】
また本発明は、化粧またはスキンケア製品を処方する際に助言を与える方法も提供する。その方法は、
ａ）化粧されるであろう身体の表像的特徴を表わすイメージのシーケンスを生成するステップを含み、そこでは身体における異なる等級の前記表像的特徴に、シーケンスの種々のイメージが対応しており、
ｂ）シーケンスの範囲内で、少なくとも一個人の身体の表像的特徴の実際の度合いに対応した、一連のイメージまたはイメージを、識別するステップを含み、
ｃ）個人に関して且つ／または個人によって識別された、一連のイメージまたはイメージをファンクションとして、化粧品を処方するステップ、
を含む。
【００７２】
ステップｂ）の結果が、遠く離れた位置で集計され、イメージのシーケンスが特にインターネットを介して個別に提出することができる。
【００７３】
上記ステップｃ）は以下のサブステップ、すなわち、
i)応答した個人の中で、少なくともひとつの予定基準に対応するその識別したイメージまたは一連のイメージを選択することによって、名簿を生成するサブステップ、
ii)化粧品を製造するサブステップ、
iii)化粧品を名簿の個人に付けるまたは塗布するサブステップ、
iv)一回以上化粧品を適用または与えた後、新しい評価を実施するため、サブステップａ）とｂ）を繰り返すステップ、
v)新しい識別の結果と以前の識別の結果とを比較し、化粧品の効果を測定するサブステップ、
vi)化粧品の効果が、不充分であると分かると、化粧品の処方及び／またはその適用量を変更し、充分であると判断される効果に達するまで、サブステップiii)、iv)及びv)を繰り返すサブステップ、
に分けられる。
【００７４】
また本発明は、特に化粧またはスキンケアトリートメントに関して、診断を行う方法も提供し、その方法は以下のステップすなわち、
ａ）段々に変わる度合いに関して、身体の表像的特徴を表わすイメージのシーケンスを生成させるステップ、
ｂ）シーケンスの範囲内で、診断される個人による前記特徴の実際の度合いに対応した、イメージまたは一連のイメージを識別するステップ、
ｃ）識別されたイメージまたは一連のイメージをファンクションとして、診断を行うステップ、
を含むことを特徴とする。
【００７５】
ステップｂ）の結果を、特にインターネットを介して遠く離れた位置で集計することができる。
【００７６】
本発明の概念では、前記イメージが映し出されている間、診断の結果がコンピューターサーバーに接続されたコンピューターのスクリーン上に映され、例えばそれはシーケンスのイメージを見ることができるものと同じスクリーンである。
【００７７】
また本発明は、身体における別の等級の少なくとも一つの表像的特徴を示した図表を作成する方法も提供し、その方法は、
ａ）身体の表像的特徴の異なった各度合いに対応した、少なくとも一つの最初のイメージと、好ましくは少なくとも一つの最後のイメージを、選択するステップ、
ｂ）前記最初のイメージと最後のイメージとの間の中間イメージのシーケンスを、特にモーヒングソフトウエアによって生成させるステップ、
ｃ）シーケンスのイメージから、少なくとも一つのイメージを選択するステップ、
ｄ）その方法で選択された少なくとも一つのイメージを含む図表を作成するステップ、
を含むことを特徴とする。
【００７８】
従って本発明が、身体の表像的特徴の二つの度合いの間で、所望されるであろう、多数の中間等級を生成させることが非常に簡単に行えるので、非常に正確な図表を作成することが可能にする。
【００７９】
また本発明は、個人に対応する各ベクトルのセットを、互いにグループ分けするマルチ−ベクトルデータバンクを生成させる方法も提供し、各ベクトルはイメージまたは、イメージのシーケンスによる一連のイメージの、個別の情報によって構成された少なくとも一つの構成要素から成り、好ましくは各ベクトルは、身体の別の表像的特徴を表わす二つのシーケンスから選択された一連のイメージ、またはイメージ個々の情報から構成された、少なくとも二つの構成要素から成る。
【００８０】
また本発明は、身体の表像的特徴の実際また所望の度合いを測定する装置も提供し、装置は身体における別の等級の表像的特徴を表わすイメージのシーケンスを生成させる、プログラムユニットを備えることを特徴とする。
【００８１】
好ましくは、前記特徴が前記シーケンスの範囲内で、連続してまたは実質的に連続して変わる。
【００８２】
特別な実施形態において、その様な装置はマウス上にボタンまたは、タッチセンサースクリーン上に映された作動ボタン、あるいはキーボードのような制御手段を、もしくは目による制御手段または、音声による制御手段を備えており、それによってシーケンスのイメージを選択することができる。
【００８３】
また特定の実施形態では、装置は少なくとも一つのイメージバンクから、最初と最後のイメージを選択するために、タッチセンサースクリーン上に映された作動ボタン、またはキーボードのようなデータ入力手段を備え、シーケンスがモーヒングソフトウェアによって前記イメージから生成され、選択が前記データ入力手段を介し、ユーザーによって伝達される情報をファンクションとして実行される。
【００８４】
装置は、シーケンスのイメージをスクリーン上で順次動かすためにカーソルを具備した、少なくとも一つのスクロールバーを生じさせる発生装置を備えることができ、好ましくはシーケンスの少なくとも一つのイメージが、適時に映し出される。
【００８５】
また、装置は二つの各関連カーソルを具備した二つのスクロールバーを発生させるジェネレーターを備えることもでき、各カーソルは映し出されたイメージによって表わされる身体の対応した表像的特徴、例えばカーソルの一方の関するしわの数及び別のカーソルに関するしわの深さを、スクリーン上で変えることができる。
【００８６】
好ましくは、装置が身体の表像的特徴に関する度合いを選択して、確認することができ、そのような確認方法は、例えばカーソル、作動ボタン、マウスのボタン、またはキーボードのキー、作動ボタンによって実行される。作動ボタンは任意に様々な形状をしており、スクリーン上に映し出されたテーブル、またはカーソルに重ね合わせることが可能であり、スクリーンをタッチセンサーにすることができる。
【００８７】
有利には、装置が好ましくは数字の形で、表示を行う適切なインジケータを具備しており、スクリーン上に映し出されたイメージによって表わされる身体の表像的特徴の度合いを示す。前記数字の表示は、例えば表示されたイメージと、身体の表像的特徴に関する予定の度合い、例えば最高の度合いに対応するシーケンスのイメージとの間の、シーケンスにおけるイメージの数に比例したスコアによって、構成される。
【００８８】
有利には装置が、サーバーまたはリモートコンピューターと通信することができるモデムを具備する。
【００８９】
特別な実施形態では、装置が選択されたイメージを示す情報をサーバーに送ることができる手段を具備する。
【００９０】
また本発明は、人のイメージを得るスキャナーまたはカメラ、或いは識別するテスト装置のような手段と、ニューラルネットワークのようなコンピューターシステムまたは、前記イメージとシーケンスのイメージとを比較する別の人工知能装置を具備することもできる。
【発明を実施するための最良の形態】
【００９１】
本発明の別の特徴及び利点は、発明を制限しない実施例の以下の詳細な記載及び、添付図面を考察することにより明らかになる。
【実施例】
【００９２】
図１及び図２は、パーソナルコンピューター２を示しており、パーソナルコンピューターは、スクリーン３、プリンター５、モデム６、キーボード７、マウス１０のように様々な外部周辺機器に接続され且つ、ＣＤロム及びフロッピーディスク（登録商標）８と、ハードディスク９の読取機などの内部周辺機器に接続された中央ユニット４を備えている。
【００９３】
また中央ユニット４は、ワーキングメモリー（RAM）１１にも接続されている。
【００９４】
本発明による第一実施例において、図３で概略的示されたプログラム１５が、パーソナルコンピューター２にロードされる。
【００９５】
プログラム１５は、各ファイル１６及び１７に入った最初のイメージと最後のイメージとの間の、中間イメージ（または変形）のシーケンスを生成させるのに適したモーヒングソフトウェア２０を含んでいる。
【００９６】
記載例において、プログラム１５がシーケンスの単一イメージを、スクリーン３上で適時に映し出す。
【００９７】
図４は、シーケンスの一例を示した図解であり、顔の下部及び首の堅さが、一連の中間イメージ２３を通して、最初のイメージ２１から最後のイメージ２２へ進行して変わっており、ここでは単に数個の中間イメージ２３を示す。
【００９８】
本発明は、身体の一つの特別な表像的特徴に制限されるものではなく、一例として図５が、ネックにおける肌のゆるみに関するイメージのシーケンスのために、最初のイメージ２１と最後のイメージ２２を示している。
【００９９】
図面は、タイプによってピックアップできる皮脂の量の変化を示している。
【０１００】
最後のイメージ２２は、皮脂または別の不純物の蓄積によって、その領域の大部分にわたってカバーしたテープを示している。
【０１０１】
またイメージの更なるシーケンスを、それは本発明の範囲内で、身体の表像的な別の特徴に関連させて、生成させることもできる。
【０１０２】
またプログラム１５は、イメージのシーケンスをスクリーン３上のイメージによって、イメージを順次動かすようにアレンジすることもでき、観察者がキーボード７のキーを押して、またはマウス１０のボタンをクリックすることで、イメージを停止させたりすることが可能であり、また本発明の範囲内で、別の制御手段、特にタッチセンサースクリーンから作られものを使用することができる。
【０１０３】
またイメージ２３を、スクロールバー２５のカーソル上で、観察者によって行われる動作をファンクションとして、図５及び図６に示されたように順次動かすことができる。
【０１０４】
最初のイメージ２１と最後のイメージ２２は、各最初のイメージ２７と最後のイメージ２８のバンクから、選択エンジン２９に与えられる情報をファンクションとして、選ぶことができ、そのエンジンは例えば、一つ以上の質問事項を映しだし、それに対応する答えを処理するために使用することができる。
【０１０５】
シーケンスの様々なイメージ２３が生成される前に、ユーザーはユーザー自信の身体表像の確かな特徴について、プログラム１５を知らせる。
【０１０６】
例えば、カラスの足のしわについて、プログラム１５が、質問事項に答える際に、関連するゾーンにあるしわの数を、詳細に記すために尋ねることができる。
【０１０７】
ユーザーによって詳細に記されたしわの数を含んだ最初のイメージは、最初のイメージバンク２７から選択される。
【０１０８】
同じ数のしわを有する最後のイメージは、最後のイメージバンク２８から選択される。
【０１０９】
そしてコンピューターが、ユーザーによって詳細に記されたしわの数を有するカラスの足のイメージを映し出す。
【０１１０】
この例において、身体の表像的特徴はしわの深さであり、ユーザーがスクロールバーのカーソルに働きかけて、イメージをステップ的に変え、映し出されたイメージをユーザー独自のしわの正確な映像になるまで、しわの深さを増やしたり減らしたりする。
【０１１１】
そしてスクロールバー上のカーソルの位置は、しわの深さを与え、その位置は例えば、スクリーン上に映し出された英数字の情報２６によって確認でき、その情報は遠隔のサーバーへ、診断を引き出し／または、しわに作用する製品を薦めるため、適切に伝達される。
【０１１２】
英数字情報２６は、スクリーン上のイメージと、最初または最後のイメージとの間のシーケンスにおけるイメージ２３の数に比例した、スコアであり得る。
【０１１３】
若い肌を持った各人は、従って最高のスコア、例えば10/10に達することができ、老人は最低スコア例えば0/10になる。
【０１１４】
シーケンスにおける様々なイメージ２３は、モーヒングソフトウェア２０によって記された例で生成され、モーヒングソフトウエアには何らかの従来タイプであり得、例えば二つにイメージの間の画素補間法によって、画素を計算し、それによって最初のイメージ２１と最後のイメージ２２との間にある、連続する一連の中間イメージ２３を組み立てることができる。
【０１１５】
上記のモーヒングソフトウェアの例は、特に以下の名前で知られているプログラムを含んでいる。それは、WINMORPH V2.1；CINEMORPH 1.2；MPMORPH4x；TSMORPH 32；FASTMORPHER 1.03；VISIONAIRE 1.0；MORPH PLUS 1.04；V-MORPH 2.0；AGA MORPH 2.2；IMAGE MASTER 1.50R；ELASTIC DREAMS 1.01；FANTASTIC DREAMSである。
【０１１６】
またプログラム15は、識別するため、例えばスキャナー或いはデジタルカメラを使用することで得られた、テスト装置または人のイメージＩに対応する、ファイルをロードする手段を有することもできる。
【０１１７】
プログラム１５は、スクリーン３にシーケンス及びイメージＩからのイメージ２３を同時に映しだして、比較を容易にするようにもアレンジできる。
【０１１８】
イメージＩは、図１１に図解的に示された人工知能タイプの比較エンジン８０に使用することもでき、評価される人に対応した身体の表像的特徴の度合いを、自動的に測定することが可能にする。
【０１１９】
パーソナルコンピューター２は、組み込み型で、例えばCD-ROMまたはフロッピーディスク（登録商標）からロードされたプログラム１５によって動作できる。
【０１２０】
その様にして、コンピューター２が図７に図示された連続ステップを実行することによって、ユーザーに自己評価できるようにする。
【０１２１】
第一ステップ４０は、例えばパーソナルコンピューター２のユーザーが、様々な質問事項に答え、プログラム１５に選択エンジン２９を使用して、例えばユーザーの年齢及び性別をファンクションとして、最初のイメージ２８及び最後のイメージ２９のバンクから個々に、最初のイメージ２１及び最後のイメージ２２を選択することから成る。
【０１２２】
従って、もし自己評価を行おうとする人が若い女性であれば、最初のイメージ２１と最後のイメージ２２が、ユーザーが年配の人である際に選択されるであろうイメージとは異なる。
【０１２３】
以下のステップ４１は、イメージのシーケンスを生成させるモーヒングソフトウエア２０で構成される。
【０１２４】
次のステップ４２は、シーケンスのイメージを選択することに対応しており、例えば選択は、キーボードのキーを押して、またはスクロールバー上でカーソルを適切に配置して、イメージを止めることによって行う。
【０１２５】
次のステップ４３は、例えばプログラム１５が、質問事項に対する返事及び、識別した際の身体の表像的特徴の度合いをファンクションとして、診断を行うことができるステップである。
【０１２６】
最終のステップ４４は、例えば前記ステップ４３において行われた診断をファンクションとして、製品を薦めることができるステップである。
【０１２７】
その様な製品は、評価されていた身体的表像の特徴に作用する製品に関して、化粧品及びケア製品データベースで検索することによって、測定することができる。化粧品及びケア製品は、以前に評価された人のプロフィールに合わせてリスト化される。
【０１２８】
図７の方法は、上記のようなパーソナルコンピューター２によって実行され、そのコンピューターは、例えば評価される人の家に置かれる。
【０１２９】
前記の要に行われる識別に関し、本発明の範囲内で、例えば図８を参照すると下方に記載されたように、化粧品及び形製品が販売される。
【０１３０】
その図面は、アドバイス提供装置５０を示しており、その装置は中央ユニット（図示せず）に接続されたタッチセンサースクリーン５１、照明機器５２、及び鏡５３を備え、それらの装置全てがキャビネット５４によって支持されている。
【０１３１】
一例としてキャビネット５４は、アドバイス提供装置５０によって薦められ、且つそれによって識別された、適切な種々の化粧品またはケア製品を収納する棚の隣に、配置することができる。
【０１３２】
図７におけるステップ４０から４４は、アドバイス提供装置５０を利用して行うことができる。
【０１３３】
本発明の概念では、パーソナルコンピューター２またはアドバイス提供装置５０は、有利には例えばインターネットによって、図９に示されたサーバー１に接続される。
【０１３４】
一例として、サーバー１が上記プログラム１５を、パーソナルコンピューター２にダウンロードすることができる。
【０１３５】
従って、ユーザーはプログラム１５を例えばインターネットサイトからダウンロードすることができる。
【０１３６】
イメージ２３を生成させるプログラム１５を、ダウンロードする必要はないが、遠隔で使用することができる。
【０１３７】
その様な状態で、サーバー１に接続されたパーソナルコンピューター２が、単なるターミナルとして作動できる。
【０１３８】
評価プログラムが、オンラインで専門的助言を与えることができれば、インターネットのユーザーが自己評価を行うことができ、この分野に精通した人がいなくても、単にプログラムにアクセスさせるサイトに接続することによって、評価することができるので、ゆえに診断を得ることができて、そして適切に薦められた化粧品またはケア製品を得ることができる。
【０１３９】
更に化粧品またはケア製品の製造者は、その種のデータを利用でき、サイトが製品をその依頼人のベースである身体的表像に最適な製品を作るように、得た情報を集める。
【０１４０】
特に本発明は、単独の人の身体における複数の異なる特徴に関するデータを共に運ぶ、マルチベクトルデータバンクを組み立てるために作動することもできる。
【０１４１】
例えば図１０は、三つのイメージ６０、６１及び６２を組み合わせた結果である複合イメージ６３を示しており、三つのイメージは、複合イメージは自己評価を行う人によって選択され、且つ個々に身体の表像的特徴、例えば下方の顔表象、中間の顔表像、上方の顔表象に関連する。
【０１４２】
一組の複合イメージ６３またはその様なイメージを示すデータを互いに収集することによって、データバンクを組立てることが可能で、各複合イメージ６３が、対応する人の一種のモンタージュ顔写真を構成する。
【０１４３】
一組の複合イメージ６３は、特に写真撮影の状況に関係なく、同一の状況下で組み立てることでき、従ってデータの信頼性が増し、比較を簡単にする。
【０１４４】
従って、複数のベクトルＶ１、....、Ｖｎから成るマルチベクトルデータバンク６４を組み立てることが可能で、各々が構成要素Ｘ１ｑ、Ｘ２ｑ、Ｘ３ｑを有し、ｑは範囲１〜ｎの整数であり、ｎはデータバンクを組み立てるのに利用した個人の数字である。
【０１４５】
各複合要素は、イメージのシーケンスにおいて個々の識別イメージである。
【０１４６】
例えば、グループの個々の数字ｐに関して、識別イメージ６０は数値Ｘ１ｑに関連し、イメージ６１は数値Ｘ２ｑに関連し、イメージ６３は数値Ｘ３ｑに関連している。
【０１４７】
各ベクトルＶｐは精密な方法で、グループにおける個別数字ｐの身体的評像を、計るのに利用する。
【０１４８】
本発明が、かなり正確に身体の表像的特徴を識別することを可能にし、化粧品またはケア製品の効果をあらわすのに、有利であることは明らかであろう。
【０１４９】
有利には製品を適用したり、与えたりする前に評価を行い、そしてトリートメントの後にもう一度評価を行って、評価同士の結果を比較する。
【０１５０】
本発明によって可能な正確性によると、改善が非常に早くあらわれ、適切にトリートメントを行っている人に、トリートメントを続けさせるのに役立つことができる。
【０１５１】
類似の方法で、人は本発明によって非常に素早く観察することができ、他の特定トリートメントは効果的でなければ、変えなければならない。
【０１５２】
また本発明は、写真の状態において変化を監視して、例えばトリートメントが必要かどうか決定することを可能にする。
【０１５３】
本発明は、上記のような身体の表像的特徴に限定されるものではなく、身体における多数の表像的特徴、特に顔のたるみ、肌の乾きに利用することができ、または首の肌の状態を識別するが、この記述に制限されない。
【０１５４】
また上記サーバー１は、人工知能タイプの専門システムを構成することもでき、行った自己識別を有し、且つその結果をサーバー１へ送るインターネットのユーザーへ、完全自動で診断を与えるために配置されている。
【０１５５】
本発明は同時に、身体の単一の表像的特徴を測定することには限定されない。
【０１５６】
一例として、図１２はスクロールバー２５及び２５´上のカーソル２４及び２４´に関連してイメージ２３を示しており、カーソル２４及び２４´を個々に利用して、しわの深さ及びしわの数を変える。
【０１５７】
身体の対応する表像的特徴の各度合いを示した数値情報２６及び２６´が、カーソルに関連したものである。
【０１５８】
カーソル２４及び２４ダッシュを移動させることによって、ユーザーはしわの数及び／またはしわの深さを変えることができる。
【０１５９】
上記の様々な例は、自己識別に応用することができる。
【０１６０】
また識別は、化粧品またはケア製品を販売する売店或いは、化粧品店で、美容コンサルタントによって行うこともでき、例えば前記美容コンサルタントは、識別される人をスクリーンに映す種々のイメージから成る。
【０１６１】
シーケンスのイメージを生成させるため、別のモーヒングソフトウェアを使用すること、また映画撮影手段及び／または、例えばコントラスト、またグレイレベル、或いはイメージの正確な色に作用するため、信号処理手段を使用することも、可能にする。
【０１６２】
カーソルの位置により、例えばシーケンスにおける各イメージｘから出た一つを映し出すことを決定することが可能であり、それによって身体の表像的特徴の変化を、更にはっきり示し、且つカーソルを移動させると、変化をより素早く行なえるか、または同時に身体における二つの表像的特徴を測定することが、簡単に行えるようになる。
【０１６３】
身体の種々の表像的特徴を示す複数のイメージを、スクリーン上に、例えば下方の顔のイメージ及び上方の顔のイメージを、同時に映し出すことができる。
【０１６４】
シーケンスは、サブシーケンスから生成させることができる。
【０１６５】
次数ｎのサブシーケンスの最初のイメージは、次数n-1のサブシーケンスの最後のイメージによって、構成することができ、次数ｎ及びn-1のサブシーケンスの最初のイメージ及び／または最後のイメージは、共通した身体の表像的特徴を少なくとも一つ、好ましくはその様な特徴を一つ以上有している。
【０１６６】
従って図１２において、しわの深さに関連した次数ｎ及びn-1のサブシーケンスの最初及び最後のイメージは、しわの数に関連したサブシーケンスのために最初または最後のイメージとしても、使用することができる。
【図面の簡単な説明】
【０１６７】
【図１】パーソナルコンピューターの概略図。
【図２】パーソナルコンピューターの概略図。
【図３】発明を実行するプログラムの確定した状態を示した概略図。
【図４】身体の表像的な別の特徴に関するイメージのシーケンスを示した図。
【図５】身体の表像的なまた別の特徴に関するイメージのシーケンスを示した図。
【図６】身体の表像的な更に別の特徴に関するイメージのシーケンスを示した図。
【図７】本発明による方法の一例を示したブロック図。
【図８】化粧品及びケア製品に関する個人的なアドバイスを与える自納装置を示した図。
【図９】特にインターネットを介した複数のパーソナルコンピューターに関するサーバーを示した図。
【図１０】データバングが、どのように身体の様々な表像的特徴に関して入れられた情報を組み立てるかを示した図。
【図１１】身体の表像的特徴を、どのように自動的に測定するかを示した図。
【図１２】各スクロールバーに関する二つのカーソルと共に、スクリーン上に映し出されたイメージを示した図で、各カーソルが働いて、身体の表像的特徴の度合いを変える。
【符号の説明】
【０１６８】
１    サーバー
２    パーソナルコンピューター
３    スクリーン
４    中央ユニット
５    プリンター
６    モデム
７    キーボード
１０  マウス
１１  ワーキングメモリー
１５  プログラム
１６  ファイル
１７  ファイル
２０  ソフトウェア
２１  イメージ
２２  イメージ
２３  イメージ
２４  カーソル
２４´カーソル
２５  スクロールバー
２５´スクロールバー
２６  数字／英数字情報
２６´数字
２７  イメージバンク
２８  イメージバンク
２９  エンジン
４０  ステップ
４１  ステップ
４２  ステップ
４３  ステップ
４４  ステップ
５０  アドバイス提供装置
５１  タッチセンサースクリーン
５２  照明機器
５３  ミラー
５４  キャビネット
６０  イメージ
６１  イメージ
６２  イメージ
６３  イメージ
６４  データバンク
８０  コンピューターシステム
Ｉ    イメージ
ＩＰ  インターネットプロトコル
【図１】
2006048729.tif 000003
【図２】
2006048729.tif 000004
【図３】
2006048729.tif 000005
【図４】
2006048729.tif 000006
【図５】
2006048729.tif 000007
【図６】
2006048729.tif 000008
【図７】
2006048729.tif 000009
【図８】
2006048729.tif 000010
【図９】
2006048729.tif 000011
【図１０】
2006048729.tif 000012
【図１１】
2006048729.tif 000013
【図１２】
2006048729.tif 000014